(57)【要約】      （修正有）【課題】包装ユニットを開封した後においても、包装ユニットがスタンド機能を有して、自立可能な構成とする。【解決手段】包装ユニット２は、閉じたチャンバを互いの間で形成し、外側縁部によって区切られたチャンバを取り囲む鍔領域で相互に接合され、２つの面状の部材を有している。チャンバは、その中に蓄えられた媒体を排出するために、外側縁部の第１の縁部区域１８と反対を向いているほうのチャンバの側に配置された開封装置を有している。鍔領域は、初期位置から方向転換領域３８を中心として開封装置から離れるように支持位置へ方向転換可能な支持区域３２を有し、支持区域３２は第１の縁部区域１８とともにスタンド手段を形成し、包装ユニット２を設置可能であるようにしている。【選択図】図３
2009196712.tif 000002
【特許請求の範囲】
【請求項１】
包装ユニット（２）であって、
部分的に相互間隔をおくことによって閉じたチャンバ（１２）を互いの間で形成し、外側縁部（１６）によって区切られた前記チャンバ（１２）を取り囲む鍔領域（１４）で相互に接合されている２つの面状の部材（４，６）を備えており、
前記チャンバ（１２）はその中に蓄えられた媒体（４）をコントロールしながら排出するために、前記外側縁部（４６）の第１の縁部区域（１８）と反対を向いているほうの前記チャンバ（１２）の側に配置された開封装置（２２）を有している、そのような包装ユニットにおいて、
前記鍔領域（１４）は、初期位置から方向転換領域（３８）を中心として前記開封装置（２２）から離れるように支持位置へ方向転換可能な支持区域（３２）を有しており、該支持位置にあるとき前記支持区域（３２）は前記第１の縁部区域（１８）とともに互いに間隔をおいたスタンド手段を形成し、該スタンド手段によって前記包装ユニット（２）を設置可能であることを特徴とする包装ユニット。
【請求項２】
前記方向転換領域（３８）は可塑的に変形可能であることを特徴とする、請求項１に記載の包装ユニット。
【請求項３】
前記支持区域（３２）は支持位置にあるとき、前記第１の縁部区域（１８）によって区切られている前記鍔領域の設置区域（４０）とともに１４０°よりも小さい支持角（ｗ）を形成することを特徴とする、請求項１または２に記載の包装ユニット。
【請求項４】
前記支持区域（３２）は線状の材料脆弱部（３０）によって他の鍔領域（１４）から分離されており、該材料脆弱部は前記外側縁部（１６）に対して間隔をおいた第１の端部（３４）を有しており、該第１の端部のところで前記外側縁部（１６）に向かって前記方向転換領域（３８）を作成可能であることを特徴とする、請求項１〜３のいずれか一項に記載の包装ユニット。
【請求項５】
前記材料脆弱部（３０）は前記開封装置（２２）の周囲でＵ字型に延びており、前記第１の端部（３４）に加えて、同じく前記外側縁部（１６）に対して間隔をおいた第２の端部（３６）を有しており、該第２の端部のところで前記外側縁部（１６）に向かって前記方向転換領域（３８）を作成可能であることを特徴とする、請求項４に記載の包装ユニット。
【請求項６】
前記第１の端部（３４）と前記第２の端部（３６）は、両方の前記端部（３４，３６）の高さにおいて前記包装ユニット（２）の横方向長さ（ｑ）の少なくとも１０％である、前記外側縁部（１６）に対する間隔（ａ）をそれぞれ有しており、前記横方向長さ（ｑ）は、前記第１の縁部区域（１８）と、これと反対を向いている第２の縁部区域（２０）との間の縦方向長さ（ｌ）に対して垂直に延びていることを特徴とする、請求項５に記載の包装ユニット。
【請求項７】
少なくとも前記第１の端部（３４）は前記縦方向長さ（ｌ）に関して前記包装ユニット（２）を三等分した中央（ｍＤ）に配置されていることを特徴とする、請求項４〜６のいずれか一項に記載の包装ユニット。
【請求項８】
前記材料脆弱部（３０）はその長さ全体にわたって切れ目により形成されていることを特徴とする、請求項４〜７のいずれか一項に記載の包装ユニット。
【請求項９】
前記切れ目に沿って複数の付着点（４４）が設けられていることを特徴とする、請求項８に記載の包装ユニット。
【請求項１０】
前記材料脆弱部（３０）は目打ち（４６）によって形成されていることを特徴とする、請求項４〜７のいずれか一項に記載の包装ユニット。
【請求項１１】
前記開封装置（２２）は、開封部を作成するための予定破断線（２６）が設けられた、前記チャンバ（１２）の先細部によって構成されていることを特徴とする、請求項１〜１０のいずれか一項に記載の包装ユニット。
【請求項１２】
前記予定破断線（２６）はＵ字型の前記材料脆弱部（３０）の互いに向かい合う区域（２８）の間を延びていることを特徴とする、請求項１１に記載の包装ユニット。
【請求項１３】
前記支持区域（３２）に安定化手段（４８）が設けられていることを特徴とする、請求項１〜１２のいずれか一項に記載の包装ユニット。
【請求項１４】
前記支持区域（３２）およびその他の前記鍔領域（１４）に付着する剥離可能なフィルム（５０）が設けられていることを特徴とする、請求項１〜１３のいずれか一項に記載の包装ユニット。
【発明の詳細な説明】
【技術分野】
【０００１】
本発明は、請求項１の前提項に記載されている、たとえば医療、化粧品、化学、または食品産業などの分野に属する媒体を包装および小分けするための包装ユニットに関するものである。このような包装ユニットは、たとえばフィルム、シェル状もしくはカバー状のプラスチック部品、たとえば深絞り部品によって構成された、ないしはこのような部品の組み合わせによって構成された、互いに接して配置された２つの面状の部材を有している。ここでは「面状」という用語によって、部材が実質的に１つの面上を延びていることが表現されるにすぎないものとし、この部材は特に平坦に構成されている必要はなく、何らかの輪郭を有することもできる。これら両方の面状の部材は、部分的に相互間隔をおくことによって閉じたチャンバを形成する。チャンバを取り囲む鍔領域では、面状の部材が相互に接合されており、鍔領域は外側縁部によって区切られている。チャンバ内に蓄えられた媒体をコントロールしながら排出するために、開封装置が設けられている。開封装置は、外側縁部の第１の縁部区域と反対を向いているほうのチャンバの側に配置されており、外側縁部の第１の縁部区域と向かい合う第２の縁部区域のほうを向いている。
【背景技術】
【０００２】
ＤＥ２０１０２３４８Ｕ１より、別の包装に保持されている包装ユニットが公知である。この包装ユニットは、１つの実施形態では、方向転換領域で相互に接合された２つの部分ユニットを有している。部分ユニットは、蓄えられた媒体を放出するために、方向転換領域と反対を向いた開封装置をそれぞれ有している。両方の開封装置は、分離可能な部分の除去によって開封される。
【０００３】
このような種類の包装ユニットは、補助手段を使わない快適な開封と、チャンバに含まれる媒体の正確な放出とを可能にする。
【０００４】
しかしながら、特に動物医療や小児医療の分野の用途では、包装ユニットを開封した後、患者が少なくとも一時的に媒体を受けいれる用意ができていないために、媒体の処理をしばしば中断または中止しなくてはならないことが示されている。ところが公知の包装ユニットの欠点は、このようなケースにおいて、開封してから処理するまで利用者が保持していなくてはならないことにある。そうしないと、媒体がチャンバから外に出てしまうからである。
【特許文献１】ドイツ実用新案出願公開第２０１０２３４８Ｕ１号明細書
【発明の概要】
【発明が解決しようとする課題】
【０００５】
本発明の課題は、当分野に属する包装ユニットにおいて前述した欠点を回避し、開封をした後でも、媒体が意図せず外に出ることがない保管手段を設けることにある。
【課題を解決するための手段】
【０００６】
この課題は、請求項１の構成要件を備える包装ユニットによって解決される。この場合、鍔領域はたとえば第２の縁部区域に、実質的に他の鍔領域に沿って延びる初期位置から方向転換領域を中心として支持位置へ方向転換可能な支持区域を有している。この方向転換のとき、支持区域は開封装置から離れるように旋回する。そして支持位置にあるとき、支持区域は第１の縁部区域とともに互いに間隔をおいたスタンド手段を形成し、このスタンド手段によって包装ユニットを設置面に設置可能である。このとき、開封装置から支持区域があらかじめ間隔をおいている結果、開封装置は設置面から離れるほうを向いており、すなわち上方を向いている。このときスタンド手段は、第１の縁部区域および支持区域の断面形状に応じて、少なくとも３つの支持点、２つの支持線、または１つの支持線と少なくとも１つの支持点によって構成されていてもよい。
【０００７】
このように、いずれの場合でも包装ユニットは当初、たとえば保管や輸送に適したできるだけコンパクトな初期位置をとることができる。そして開封後には、包装ユニットが静的に規定され、それによって安定した仕方で、開封装置が重力方向で見てチャンバよりも上に配置された姿勢で包装ユニットを設置することができる、支持位置を設定することができる。したがって包装ユニットがこの姿勢にあるとき、開封装置が開封されているにもかかわらず、媒体が外に出ることはない。
【０００８】
１つの特別に好ましい実施形態では、方向転換領域は可塑的に変形可能なように製作されており、それによって支持区域は支持位置への方向転換後にその位置のままとどまり、このことは、ひいては包装ユニットの確実な設置を可能にする。
【０００９】
さらに、支持区域と、第１の縁部区域によって区切られる鍔領域の設置区域との間で１４０°よりも小さい支持角が形成される支持位置へ、支持区域を方向転換可能であると好都合である。それにより、設置面へ設置したときに開封装置を含めたチャンバが、開封装置が開封されていても媒体がチャンバから外に出ることのない、十分に上方へ傾いた姿勢をとることを保証することができる。
【００１０】
支持区域は、直線状の材料脆弱部によって他の鍔領域から分かれているのが好ましい。この材料脆弱部は、方向転換領域を外側縁部に向かって作成可能である、外側縁部に対して間隔をおいた第１の端部を有している。それにより、支持区域を快適な仕方で支持位置から離すことができる。しかもこのとき、第１の端部の選択された位置によって、方向転換領域の特別に好都合な姿勢を事前設定することができる。
【００１１】
さらに、材料脆弱部が開封装置の周囲でＵ字型に延びており、第１の端部に加えて、方向転換領域の第２の部分を外側縁部に向かって作成可能である、同じく外側縁部に対して間隔をおいた第２の端部を有していると好都合である。このようにして、特別に安定した包装ユニットの設置を可能にする、比較的幅広い支持区域が提供される。さらに支持区域は、この実施形態では、初期位置のときに開封装置のための保護装置としての役目を果たすことができ、それにより、たとえば開封装置の意図しない開封を防止する。
【００１２】
第１の端部と第２の端部は、両方の端部の高さにおいて包装ユニットの横方向長さの少なくとも１０％である、外側縁部に対する間隔をそれぞれ有しているのが好ましい。このとき横方向長さとは、第１の縁部区域と、これと反対を向いている第２の縁部区域との間の縦方向長さに対して垂直に延びている。両方の端部の意図される最低間隔により、一方では、特に複数回の方向転換をする場合に、初期位置と支持位置の間で亀裂が方向転換領域に生じないことが保証される。他方では、このような方向転換領域の最低長さがあれば、その可塑的な変形可能性を比較的多くの材料によって具体化することができる。
【００１３】
さらに、少なくとも第１の端部は縦方向長さに関して包装ユニットを三等分した中央に配置されており、特にちょうど中央に配置されていると好都合であり、それによって包装ユニットの安定した支持が可能である。
【００１４】
材料脆弱部はその長さ全体にわたって切れ目によって構成されているのが好ましく、それにより、支持区域を格別に容易に初期位置から離れるように動かすことができる。
【００１５】
このとき、切れ目に沿って複数の付着点が設けられており、これらの付着点によって、支持区域が比較的安定的かつ確実に初期位置に保たれると好都合である。
【００１６】
これに代わる別案の実施形態では、材料脆弱部は目打ちによって構成されており、それにより、一方では初期位置のときに支持区域の安定した姿勢が保証され、他方では支持位置への快適な方向転換が可能となる。
【００１７】
さらに開封装置は、開封部を作成するための予定破断線が設けられた、チャンバの先細部によって構成されていると好都合である。それにより、包装ユニットを格別に快適に、かつ補助手段を必要とすることなく開封することができる。
【００１８】
このとき予定破断線は、Ｕ字型の材料脆弱部の互いに向かい合う区域の間を延びているのが格別に好ましい。このようにして、初期位置のときに予定破断線が支持区域によって損傷から守られる。
【００１９】
別の好ましい実施形態では、たとえば深絞り成形された領域によって構成され、支持区域にいっそう高い安定性を与える追加の安定化手段が支持区域に設けられている。
【００２０】
さらに、支持区域およびその他の鍔領域に付着した剥離可能なフィルムが設けられていると格別に好都合である。それにより、子どもに安全なように包装ユニットを製作することが可能である。
【００２１】
図面には、本発明の一例としての実施形態が示されている。
【図面の簡単な説明】
【００２２】
【図１】本発明による包装ユニットを示す図である。
【図２】図１の平面ＩＩで包装ユニットを示す縦断面図である。
【図３】方向転換された支持区域を備える図１の包装ユニットを示す斜視図である。
【図４】別案の材料脆弱部を備える図１の包装ユニットを示す図である。
【図５】目打ちとして構成された別案の材料脆弱部を備える図１の包装ユニットを示す図である。
【図６】安定化手段を備える別案の実施形態を示す図である。
【図７】図１の包装ユニットおよびこれに設けられたフィルムを裏側から示す斜視図である。
【図８】フィルムが剥離された図７の包装ユニットを示す斜視図である。
【発明を実施するための形態】
【００２３】
図１と図２は、たとえば特に動物医療または小児医療などの医療分野、化粧品、化学、食品産業などに属する液体によって構成される媒体４を収容して小分けするための包装ユニット２を示している。
【００２４】
そのために包装ユニット２は、基本的に、第１の面状の部材６と第２の面状の部材８とで構成されている。これらの面状の部材６，８はたとえばシートまたは成形品として、ないしは深絞り品として、プラスチックで製作されていてもよい。
【００２５】
図示した実施形態では、第１の面状の部材６は、特に図２から見て取れるように膨らんだ輪郭１０を有しており、この輪郭が第２の面状の部材８によって閉じたチャンバ１２を形成しており、その中に媒体４が蓄えられている。
【００２６】
チャンバ１２の周囲では、両方の部材６，８は相互に接合された鍔領域１４を形成している。この接合は、たとえば接着、溶着、またはシールによって成立させることができる。外方に向かって鍔領域１４は、包装ユニット２全体もそうであるように、外側縁部１６で区切られている。外側縁部は、図示した包装ユニット２の空間内の姿勢を基準とすると、チャンバ１２の下方に配置された第１の縁部区域１８と、第１の縁部区域１８と反対を向いている、チャンバ１２の上方に配置された第２の縁部区域２０とを有している。
【００２７】
媒体４のコントロールされた放出をするために、チャンバ１２と連通し、第２の縁部区域２０のほうを向く出口通路２４を形成する開封装置２２が、チャンバ１２に設けられている。媒体４は、この出口通路２４を介してチャンバ１２から流出することができる。
【００２８】
そのために開封装置２２は、たとえば刻み目の形態の予定破断線２６が設けられた、チャンバ１２の先細部によって構成されている。この別案として、開封装置２２はこれ以外の周知の適当な開封手段によって構成されていてもよい。
【００２９】
予定破断線２６は、全体として符号３０が付された材料脆弱部の互いに向かい合う２つの区域２８の間を延びている。この材料脆弱部は、外側縁部１６から間隔をおきながら開封装置２２の周囲でＵ字型に延びており、たとえばその長さ全体にわたって延びる切れ目によって形成されている。このようにして材料脆弱部３０は、第２の縁部区域２０に配置されていて同じく実質的にＵ字型である、鍔領域１４の支持区域３２を区切っている。
【００３０】
支持区域３２は、実質的に他の鍔領域１４の平面に配置されている図１と図２に示す初期位置から、図３に示す支持位置へと方向転換させることができる。このとき材料脆弱部３０の第１の端部３４と第２の端部３６に、それぞれ外側縁部１６に向かって、可塑変形した方向転換領域３８が形成される。このとき材料脆弱部３０の端部３４，３６は、端部３４，３６の高さで包装ユニット２の横方向長さｑの少なくとも１０％である間隔ａを、外側縁部に対して有するように位置決めされている。
【００３１】
さらに端部３４，３６は、横方向長さｑに対して垂直に向く縦方向長さｌに関して、第１の縁部区域１８と第２の縁部区域２０の間で三等分した中央ｍＤに配置されており、特にちょうど中央Ｍに配置されている。
【００３２】
支持位置へ方向転換されるとき、支持区域３２は、第１の縁部区域１８にある鍔領域１４の設置区域４０とともに１４０°を下回る、特に６０°から１２０°の範囲内にある支持角ｗを形成する位置へと移すことが可能である。
【００３３】
第１の縁部区域１８と、支持区域３２の自由端を形成する第２の縁部区域２０とは、このような支持位置のとき、支持線ＳＬの形態の互いに間隔をおいた２つのスタンド手段として機能する。これらの支持線ＳＬによって、包装ユニットを設置面４２に設置可能であり、このとき開封装置２２は重力方向Ｇに関して上方を向いている。
【００３４】
図示した直線状の縁部区域１８，２０の別案として、その少なくとも一方において、破線で図示しているように、支持線ＳＬに代えて少なくとも１つの支持点ＳＰが形成されるような断面形状を設けることも可能である。
【００３５】
図４から見て取れるように、切れ目として施工された材料脆弱部３０に沿って、たとえば後から塗布された接着剤によって形成される複数の付着点４４が設けられていてもよい。
【００３６】
あるいはその別案として、図５に示すように、材料脆弱部３０は目打ち４６によって形成されていてもよい。
【００３７】
図６は、支持区域３２を補強し、それによってその曲げ剛性を高める追加の安定化手段４８が鍔領域１４に設けられた、包装ユニット２の別の実施形態を示している。ここでは安定化手段４８は一例として、開封装置２２の周囲でＵ字型に延び、それによってこれを意図しない開封から防護する深絞り成形された領域によって構成されている。
【００３８】
図７と図８は、第２の面状の部材８によって形成される裏面５２に設けられた剥離可能なフィルム５０が設けられた、包装ユニット２のさらに別の実施形態を示している。このフィルム５０は、支持区域３２にわたって延びるだけでなく、その他の鍔領域１４の一部でも特に開封装置２２の領域で延びており、これら両者に付着している。
【００３９】
包装ユニット２を開封して設置するために、上に説明したように支持区域３２を方向転換領域３８を中心として方向転換させることができるようにするには、図８に示すように、まずフィルム５０を剥がさなくてはならない。そのためにフィルム５０には、付着していない引張ラグ５４が設けられている。
【図１】
2009196712.tif 000003
【図２】
2009196712.tif 000004
【図３】
2009196712.tif 000005
【図４】
2009196712.tif 000006
【図５】
2009196712.tif 000007
【図６】
2009196712.tif 000008
【図７】
2009196712.tif 000009
【図８】
2009196712.tif 000010